(57)【特許請求の範囲】
【請求項１】
カラーフィルター基板、アレイ基板、及び前記カラーフィルター基板と前記アレイ基板との間に位置する液晶層を含み、
前記カラーフィルター基板と前記液晶層との間には上面配向層が設けられ、前記アレイ基板と前記液晶層との間には下面配向層が設けられ、
前記上面配向層には前記カラーフィルター基板から前記液晶層の方向に、順次、第一上面配向層、カラーシフト補償フィルム層及び第二上面配向層が含まれ、前記カラーシフト補償フィルム層の配向方向が、前記下面配向層のラビング方向と同じであることを特徴とする、液晶ディスプレイ。
【請求項２】
前記カラーシフト補償フィルム層の材料が、反応性モノマー材料であることを特徴とする、請求項１に記載の液晶ディスプレイ。
【請求項３】
前記第一上面配向層のラビング方向が、前記下面配向層のラビング方向と同じとなるように配置されていることを特徴とする、請求項１または２に記載の液晶ディスプレイ。
【請求項４】
前記カラーシフト補償フィルム層のラビング方向が、前記下面配向層のラビング方向と同じとなるように配置されていることを特徴とする、請求項１〜３のいずれかに記載の液晶ディスプレイ。
【請求項５】
前記第二上面配向層のラビング方向が、前記下面配向層のラビング方向と反対となるように配置されていることを特徴とする、請求項１〜４のいずれかに記載の液晶ディスプレイ。
【請求項６】
前記第一上面配向層が、ポリイミドまたはＵＶ偏光材料によって形成されていることを特徴とする、請求項１〜５のいずれかに記載の液晶ディスプレイ。
【発明の詳細な説明】
【技術分野】
【０００１】
本発明の実施例は液晶ディスプレイに係るものである。
【背景技術】
【０００２】
フリンジフィールドスイッチング（Ｆｒｉｎｇｅ  Ｆｉｅｌｄ  Ｓｗｉｔｃｈｉｎｇ，ＦＦＳ）モードの液晶ディスプレイに対し、左右両側からそれぞれ液晶ディスプレイのスクリーンを覗いた場合、目に入る画像にはカラーシフトが存在する。これは、液晶ディスプレイの製造過程において、配向膜に対してラビング（Ｒｕｂｂｉｎｇ）工程を行って配向する際、一般的にはゲート電極外周回路の接触点（Ｇａｔｅ−Ｐａｄ）と相反する方向においてラビングを行う（例えば左から右へ）ことによって形成される液晶セル中において液晶を加えた後、液晶はＧａｔｅ−Ｐａｄの反対方向（右）においてプレチルト角（Ｐｒｅ−ｔｉｌｔ  ａｎｇｌｅ）が存在する。よって、図１に示すように、液晶スクリーンを右側から見た場合、液晶位相差は比較的大きく、視覚効果には黄色がかった（Ｙｅｌｌｏｗｉｓｈ）という状況が存在する。左側から液晶スクリーンを見た場合、液晶位相差は比較的小さく、視覚効果は青色がかった（Ｂｌｕｉｓｈ）という状況が存在する。
【０００３】
現在において常用されるのは、偏光板及びカラーシフト補償フィルムの方法であり、左右両側から液晶スクリーンを見た場合のカラーシフト現象を改善する。具体的には、偏光板とｃ−ｐｌａｔｅによって上下左右および対角線方向のカラーシフト及び低グレースケールの輝度値に対し補償を行う。この技術構成はコストが増加するだけでなく、偏光板の厚さを増加させることになる。同時に、この技術構成は全方向においてカラーシフトに対し補償することができるが、光学設計過程が非常に複雑であり、大規模応用に適さないという課題が存在する。
【発明の概要】
【発明が解決しようとする課題】
【０００４】
本発明の実施例が解決しようとする技術課題は、如何にフリンジフィールドスイッチングモードにおける液晶ディスプレイのカラーシフト効果を解消できるかであり、さらには、生産コストを抑え、デザインをシンプルにすることである。
【課題を解決するための手段】
【０００５】
本発明の実施例は液晶ディスプレイを提供し、前記液晶ディスプレイは、カラーフィルター基板、アレイ基板、及び前記カラーフィルター基板と前記アレイ基板との間の液晶層を含む。前記カラーフィルター基板と前記液晶層との間には上面配向層が設けられ、前記アレイ基板と前記液晶層の間には下面配向層があり、前記上面配向層は前記カラーフィルター基板から前記液晶層の方向に、順次、第一上面配向層、カラーシフト補償フィルム層及び第二上面配向層が設けられ、前記カラーシフト補償フィルム層の配向方向は前記液晶層の仮配向方向と反対である。
【０００６】
例えば、前記カラーシフト補償フィルム層の材料は、反応性モノマー材料とすることができる。
【０００７】
例えば、前記第一上面配向層のラビング方向は、前記下面配向層のラビング方向と同じとなるように配置されている。
【０００８】
例えば、前記カラーシフト補償フィルム層のラビング方向は、前記下面配向層のラビング方向と同じとなるように配置されている。
【０００９】
例えば、前記第二上面配向層のラビング方向は、前記下面配向層のラビング方向と反対となるように配置されている。
【００１０】
本発明の実施例の技術構成をさらに明確に説明するために、以下において、実施例の図面について簡単に説明する。言うまでもないが、以下で記載されている図面は、本発明の実施例の一部に係るものに過ぎず、本発明を制限するものではない。
【図面の簡単な説明】
【００１１】
【図１】図１は従来技術における液晶ディスプレイにカラーシフト問題が存在する模式図であり、右側から液晶を見た場合の位相差は左側から液晶を見た場合の位相差より大きい。
【図２】図２Ａ、図２Ｂは具体的な実施形態において提供された液晶ディスプレイの構造模式図である。
【発明を実施するための形態】
【００１２】
以下において、図面と実施例を参照しながら、本発明に対しさらに詳細に記載する。
【００１３】
フリンジフィールドスイッチングモードにおける、液晶ディスプレイを左右両側から見た場合のカラーシフト問題を解決し、生産コストを抑え、デザインをシンプルにするために、本発明の実施例中において、カラーシフト補償フィルム膜を設ける方法により位相差を減少させる。
【００１４】
カラーシフト補償フィルムの材料については、反応性モノマー材料（Ｒｅａｃｔｉｖｅ  Ｍｅｚｏｇｅｎ，ＲＭ）を選択することができる。ＲＭ材料は、反応型液晶と称することもできる。反応型液晶は液晶コア（Ｃｏｒｅ）を有し、末端には一個または複数の反応性官能基（Ｒｅａｃｔｉｖｅ  Ｇｒｏｕｐｓ）を有し、通常はアクリレート基（Ａｃｒｙｌａｔｅ  Ｇｒｏｕｐ）であり、光重合により高分子ネットワークを形成できる。使用される重合開始剤は、ＵＶ感光型（波長２５４〜３６５ｎｍ）であることが多く、よって反応型液晶はＵＶ反応型液晶と称されることも多い。現在ＵＶ反応型液晶の提供者と製品は、ＭｅｒｃｋのＲＭシリーズ、ＷａｃｋｅｒのＳＬＭシリーズ、ＢＡＳＦのＰａｌｉｏｃｏｌｏｒシリーズなどがある。ＲＭ材料の例は例えば、Ｒｅａｃｔｉｖｅ  Ｍｅｓｏｇｅｎ  Ｍｉｘｔｕｒｅｓ  ｆｏｒ  Ｉｎｔｅｇｒａｔｅｄ  Ｏｐｔｉｃａｌ  Ｆｉｌｍｓ，Ｌｅｅ  ｅｔ  ａｌ，  ２００３  ＩＭＩＤを参照することができる。
【００１５】
ＲＭ材料及び通常の液晶は同じように位相差が存在するが、紫外線によって照射された後は硬化し、硬化した後は一定の位相差を有する光学層となる。よって、液晶ディスプレイにおいて、一定の方式でＰＭ材料のカラーシフト補償フィルムを実装した後、液晶の位相差は減少され、よって左右両側からフリンジフィールドスイッチングモードにおける液晶ディスプレイのスクリーンを見た場合のカラーシフト問題を改善できる。
【００１６】
詳細には、本発明の実施例は、フリンジフィールドスイッチングモードにおける液晶ディスプレイ１００を提供した。液晶ディスプレイ１００は、例えば、フリンジフィールドスイッチ（ＦＦＳ）型液晶ディスプレイである。図２Ａに示すように、液晶ディスプレイ１００は、カラーフィルター基板１０、アレイ基板２０及びカラーフィルター基板とアレイ基板との間の液晶層３０を含む。カラーフィルター基板１０と、液晶層３０との間には、上面配向層４０が設けられ、アレイ基板２０と液晶層３０との間には、下面配向層５０が設けられている。
【００１７】
もう一つの実施例において、液晶ディスプレイ１００は、例えば、アドバンストディメンジョンスイッチング（ＡＤＳ）型液晶ディスプレイであって、カラーフィルター基板１０、アレイ基板２０及びカラーフィルターとアレイ基板との間の液晶層３０を含む。カラーフィルター基板１０と液晶層３０との間には、上面配向層４０があり、アレイ基板２０と液晶層３０との間には下面配向層５０がある。
【００１８】
上、下面配向層は例えば、ポリイミド（ＰＩ）層であり、ラビング工程によってその表面において一定の配向を有する微細な溝を形成し、液晶に対し仮配向を行う。図２Ｂは上面配向層４０、液晶層３０及び下面配向層５０の拡大模式図を示している。
【００１９】
上面配向層４０はカラーフィルター基板１０から液晶層３０の方向に、順次以下の層を含む。第一上面配向層４１、カラーシフト補償フィルム層４２、及び第二上面配向層４３である。
【００２０】
カラーシフト補償フィルム層４２は硬化されたＲＭ材料によって製造されている。ＲＭ材料は通常の液晶の性質を有し、硬化後に一定の位相差が存在する。
【００２１】
第一上面配向層４１のラビング方向は、下面配向層５０のラビング方向と同じとなるように設けられている。第一上面配向層４１のラビング方向はＲＭ材料の配向に用いることができる。
【００２２】
カラーシフト補償フィルム層４２のラビング方向は、下面配向層５０のラビング方向となるように設けられている。
【００２３】
第二上面配向層４３のラビング方向は、下面配向層５０のラビング方向と反対となるように設けられている。
【００２４】
このように、構造を有する液晶ディスプレイを用いることで、右側に生じる位相差はおおよそ左側に生じる位相差と同じとなり、従来技術における、液晶ディスプレイの左右両側に生じる位相差が異なることによるカラーシフトの問題を解消することができる。
【００２５】
第一上面配向層の形成工程の一つの例は以下のとおりである。まず、カラーフィルター基板１０の内表面の上に第一上面配向層４１を形成し、カラーフィルター基板１０の第一上面配向層４１に対して配向処理を行い、アレイ基板２０の下面配向層５０のラビング方向と同じ方向においてラビングを行う。図２Ｂに示すように、下面配向層５０のラビング方向が左向きと仮定すると、水平の第一上面配向層４１のラビング方向も同じく左向きである。次に、第一上面配向層４１上にカラーシフト補償フィルム層４２を形成し、即ちＲＭ材料を塗布し、次にカラーシフト補償フィルム層４２を第一上面配向層４１の配向特性にしたがって配向処理を行う。即ちＲＭカラーシフト補償フィルム層４２のラビング方向は、アレイ基板２０の下面配向層５０のラビング方向と同じであり、次にＲＭカラーシフト補償フィルム層をＵＶ照射によって硬化させた後に、カラーシフト補償フィルム層４２上において第二上面配向層４３を形成し、第二上面配向層４３に対して配向処理を行い、アレイ基板の下面配向層５０とラビング方向の反対方向でラビングを行い、即ち右向きにラビング工程を行い、よってフリンジフィールドスイッチングモードの液晶ディスプレイ中において、初期配向と逆平行のラビング（ａｎｔｉ−ｐａｒａｌｌｅｌ  ｒｕｂｂｉｎｇ）構造を形成する。この構造において、ＲＭ材料の配列方向と液晶の仮配向方向は反対である。もう一つの実施例において、ＲＭ材料の配列方向と、液晶の仮配列方向は反対且つ対称的である。
【００２６】
ここにおいて、ＲＭ材料のカラーシフト補償フィルム層４２をアレイ基板２０の下面配向層５０と反対の方向でラビングする場合、液晶ディスプレイ全体において、より大きな位相差が生じるので、そのラビング方向は必ず、アレイ基板２０の下面配向層５０のラビング方向と同じとなるようにすべきである。
【００２７】
このとき、ＲＭ材料のカラーシフト補償フィルム層４２の配向方向は液晶と反対であるため、相互に位相を補償するという効果が生じる。ＲＭ材料のカラーシフト補償フィルム層４２の配列方向と、液晶の仮配列方向は反対且つ対称的であれば、左右両側から液晶ディスプレイのスクリーンを見た際に、液晶ディスプレイが生じる位相差は小さくなり、したがって視覚効果が黄色がかった、または青色がかったという状況を改善することができる。
【００２８】
もう一つの実施例において、第一上面配向層４１はＵＶ偏光材料（ＵＶ  ｐｏｌａｒｉｚｅｒ）によって形成することができ、その場合、第一上面配向層４１のラビング工程は必要ではなくなる。
【００２９】
以上のように、本発明の実施例と従来技術とを比較した場合、以下のようないくつかの特徴が存在する。
【００３０】
（１）ＲＭ材料によって作られたカラーシフト補償フィルム層の配向方向は、液晶の仮配列方向と反対か、またはさらに相互に対称のものであり、これによりカラーシフト補償フィルム層と液晶表示層の相互の位相補償効果を実現できる。このような場合、液晶ディスプレイのスクリーンの左右両側に生じる位相差は小さくなり、これにより視覚効果が黄色がかった、または青色がかったという状況を改善することができる。従って有効に、フリンジフィールドスイッチングモードの液晶スクリーンを左右から見る際に生じるカラーシフト問題を解決できる。
【００３１】
（２）この技術構成のコスト増加要因は比較的少なく、光学設計は簡単であり、容易に実際に応用することができる。従来技術においては、偏光板上にカラーシフト補償フィルムを増設する方法は、偏光板の厚さが増加するという問題が存在する。しかし、本発明の実施例中において厚さは変化せず、これにより、テレビ、ディスプレイなどフリンジフィールドスイッチングモードを応用する超薄型製品の設計に対して、有力なサポートを提供することができる。
【００３２】
以上は本発明の好ましい実施形態のみであり、説明すべきは、当業者にとって、本発明の技術範囲を逸脱しないという前提で、若干の改善及び変更を行うことができ、これらの改善及び変更は本発明の保護範囲に属するものと見なされる。
【符号の説明】
【００３３】
１０  カラーフィルター基板
２０  アレイ基板
３０  液晶層
４０  上面配向層
４１  第一上面配向層
４２  カラーシフト補償フィルム層
４３  第二上面配向層
５０  下面配向層
１００  フリンジフィールドスイッチ型液晶ディスプレイ
【図１】
0006037476.tif 000002
【図２】
0006037476.tif 000003